(57)【要約】      （修正有）【課題】操作対象の指針を簡単に選択でき、かつ、表示時刻を容易に修正できる電子時計、電子時計の時刻修正方法および時刻修正システムを提供する。【解決手段】電子時計１は、時刻を表示する時刻表示部２０と、動作を検出する慣性センサー３０と、慣性センサー３０で所定の動作を検出した場合に、時刻表示部２０で表示される時刻を修正する制御部４０と、を有する。【選択図】図２
2019032194.tif 000002
【特許請求の範囲】
【請求項１】
時刻を表示する時刻表示部と、
動作を検出する慣性センサーと、
前記慣性センサーで所定の動作を検出した場合に、前記時刻表示部で表示される時刻を修正する制御部と、
を有することを特徴とする電子時計。
【請求項２】
請求項１に記載の電子時計において、
前記時刻表示部は、複数の指針を有し、
前記制御部は、
前記複数の指針のうち、修正対象の指針を選択する第一の動作を前記慣性センサーで検出すると、選択した指針の時刻修正モードを実行し、
前記時刻修正モードが実行された状態で、指針が指示する表示時刻を修正する第二の動作を前記慣性センサーで検出すると、前記第二の動作に応じて前記表示時刻を修正する
ことを特徴とする電子時計。
【請求項３】
請求項１に記載の電子時計において、
前記時刻表示部は、時刻をデジタル表示するデジタル表示部を有し、
前記制御部は、
前記デジタル表示された時刻の時間単位のうち、修正対象の時間単位を選択する第一の動作を前記慣性センサーで検出すると、選択した前記時間単位の時刻修正モードを実行し、
前記時刻修正モードが実行された状態で、前記時間単位の表示時刻を修正する第二の動作を前記慣性センサーで検出すると、前記第二の動作に応じて前記表示時刻を修正する
ことを特徴とする電子時計。
【請求項４】
請求項２または請求項３に記載の電子時計において、
前記慣性センサーはジャイロセンサーであり、
前記制御部は、
前記ジャイロセンサーで検出される電子時計の移動パターンが、予め設定された第一の動作用検出パターンに該当した場合に、前記第一の動作を検出したと判断して前記時刻修正モードを実行し、
前記時刻修正モードが実行された状態で、前記ジャイロセンサーで検出された電子時計の移動パターンが、予め設定された第二の動作用検出パターンに該当した場合に、前記第二の動作を検出したと判断して、前記表示時刻を修正する
ことを特徴とする電子時計。
【請求項５】
請求項２または請求項３に記載の電子時計において、
前記慣性センサーは加速度センサーであり、
前記制御部は、
前記加速度センサーで検出される動作が、予め設定された第一の動作条件に該当した場合に、前記第一の動作を検出したと判断して前記時刻修正モードを実行し、
前記時刻修正モードが実行された状態で、前記加速度センサーで検出された動作が、予め設定された第二の動作条件に該当した場合に、前記第二の動作を検出したと判断して、前記表示時刻を修正する
ことを特徴とする電子時計。
【請求項６】
請求項２または請求項３に記載の電子時計において、
前記慣性センサーは、ジャイロセンサーおよび加速度センサーであり、
前記制御部は、
前記ジャイロセンサーで検出される電子時計の移動パターンが、予め設定された第一の動作用検出パターンに該当した場合に、前記第一の動作を検出したと判断して前記時刻修正モードを実行し、
前記時刻修正モードが実行された状態で、前記加速度センサーで検出された動作が、予め設定された第二の動作条件に該当した場合に、前記第二の動作を検出したと判断して、前記表示時刻を修正する
ことを特徴とする電子時計。
【請求項７】
請求項２または請求項３に記載の電子時計において、
前記慣性センサーは、ジャイロセンサーおよび加速度センサーであり、
前記制御部は、
前記加速度センサーで検出される動作が、予め設定された第一の動作条件に該当した場合に、前記第一の動作を検出したと判断して前記時刻修正モードを実行し、
前記時刻修正モードが実行された状態で、前記ジャイロセンサーで検出される電子時計の移動パターンが、予め設定された第二の動作用検出パターンに該当した場合に、前記第二の動作を検出したと判断して、前記表示時刻を修正する
ことを特徴とする電子時計。
【請求項８】
請求項２から請求項７のいずれか一項に記載の電子時計において、
報知部を備え、
前記制御部は、前記第一の動作および前記第二の動作を検出した場合に、その検出結果を前記報知部によって報知する
ことを特徴とする電子時計。
【請求項９】
時刻を表示する時刻表示部と、動作を検出する慣性センサーとを備える電子時計の時刻修正方法であって、
前記慣性センサーで所定の動作を検出した場合に、前記時刻表示部で表示される時刻を修正することを特徴とする電子時計の時刻修正方法。
【請求項１０】
動作を検出する慣性センサーを有する外部入力装置から送信される情報を受信する受信部と、
時刻を表示する時刻表示部と、
前記受信部で受信した情報に基づいて、前記時刻表示部で表示される時刻を修正する制御部と、
を有することを特徴とする電子時計。
【請求項１１】
外部入力装置と、電子時計とを備える時刻修正システムであって、
前記外部入力装置は、
動作を検出する慣性センサーと、
前記慣性センサーで検出した動作に基づく情報を送信可能な送信部とを有し、
前記電子時計は、
前記外部入力装置から送信される情報を受信する受信部と、
時刻を表示する時刻表示部と、
前記受信部で受信した情報に基づいて、前記時刻表示部で表示される時刻を修正する制御部とを有する
ことを特徴とする時刻修正システム。
【発明の詳細な説明】
【技術分野】
【０００１】
本発明は、表示時刻を容易に修正できる電子時計、電子時計の時刻修正方法および時刻修正システムに関する。
【背景技術】
【０００２】
電子時計において、表示時刻を修正する場合、リューズやボタンを用いて操作することが一般的である。
しかしながら、リューズやボタンはサイズが小さいため、操作し難い場合がある。また、表示時刻を修正する操作が電子時計によって異なる場合があり、ユーザーが直感的に操作することが難しい場合がある。
【０００３】
そこで、時計のカバー部材へのユーザーのタッチ状態およびタッチ位置を検出するタッチ検出部を設け、操作対象の指針位置に対応するカバー部材の位置を指でタッチすることで指針を選択し、所定時間タッチ状態を継続した後、所望の指針の移動方向に指をスライドするドラッグ動作を行い、指をカバー部材から離すことで、指針を移動させる電子時計も提案されている（特許文献１）。
【先行技術文献】
【特許文献】
【０００４】
【特許文献１】特開２０１４−１１９４０５号公報
【発明の概要】
【発明が解決しようとする課題】
【０００５】
しかしながら、特許文献１の電子時計では、カバー部材における指のタッチ位置を検出しなければならず、指の位置を正確に検出することが難しい。特に、小型の時計では、カバー部材の面積も小さく、指の位置を正確に検出することが難しい。さらに、時計の指針は運針時に重なる場合があり、指のタッチ操作では近接する指針を誤検出する場合もある。このため、ユーザーが意図するとおりに、時刻修正を行うことが難しい。
本発明の目的は、表示時刻を容易に修正できる電子時計、電子時計の時刻修正方法および時刻修正システムを提供することにある。
【課題を解決するための手段】
【０００６】
本発明の電子時計は、時刻を表示する時刻表示部と、動作を検出する慣性センサーと、前記慣性センサーで所定の動作を検出した場合に、前記時刻表示部で表示される時刻を修正する制御部と、を有することを特徴とする。
【０００７】
本発明によれば、電子時計は慣性センサーを内蔵しているため、電子時計自体の動作を検出できる。制御部は、慣性センサーが所定の動作を検出した場合、例えば電子時計を所定の軌跡を描くように移動したり、電子時計をタップして叩いたり、電子時計を傾けたり揺らす等の所定の動作を行った場合に、表示時刻を修正する。このため、電子時計自体を動かしたり、タップすることで時刻を修正でき、リューズやボタンなどを操作する場合や、カバー部材をタッチする場合に比べて、簡単な動作で修正を指示できるため、表示時刻を容易に修正できる。
【０００８】
本発明の電子時計において、前記時刻表示部は、複数の指針を有し、前記制御部は、前記複数の指針のうち、修正対象の指針を選択する第一の動作を前記慣性センサーで検出すると、選択した指針の時刻修正モードを実行し、前記時刻修正モードが実行された状態で、指針が指示する表示時刻を修正する第二の動作を前記慣性センサーで検出すると、前記第二の動作に応じて前記表示時刻を修正することが好ましい。
【０００９】
本発明によれば、指針を選択する第一の動作と、表示時刻を修正する第二の動作との２段階の動作で表示時刻を修正できるため、ユーザーにとって動作による処理を把握しやすく、第一の動作と、第二の動作とで同じ動作を用いることもでき、修正動作を容易に行うことができる。
【００１０】
本発明の電子時計において、前記時刻表示部は、時刻をデジタル表示するデジタル表示部を有し、前記制御部は、前記デジタル表示された時刻の時間単位のうち、修正対象の時間単位を選択する第一の動作を前記慣性センサーで検出すると、選択した前記時間単位の時刻修正モードを実行し、前記時刻修正モードが実行された状態で、前記時間単位の表示時刻を修正する第二の動作を前記慣性センサーで検出すると、前記第二の動作に応じて前記表示時刻を修正することが好ましい。
【００１１】
ここで、時間単位とは、例えば、デジタル表示部で時刻の時分秒を表示している場合、時、分、秒がそれぞれ時間単位となる。そして、本発明によれば、修正対象の時間単位を選択する第一の動作と、選択された時間単位の表示時刻を修正する第二の動作との２段階の動作で表示時刻を修正できるため、ユーザーにとって動作による処理を把握しやすく、修正動作を容易に行うことができる。
【００１２】
本発明の電子時計において、前記慣性センサーはジャイロセンサーであり、前記制御部は、前記ジャイロセンサーで検出される電子時計の移動パターンが、予め設定された第一の動作用検出パターンに該当した場合に、前記第一の動作を検出したと判断して前記時刻修正モードを実行し、前記時刻修正モードが実行された状態で、前記ジャイロセンサーで検出された電子時計の移動パターンが、予め設定された第二の動作用検出パターンに該当した場合に、前記第二の動作を検出したと判断して、前記表示時刻を修正することが好ましい。
【００１３】
本発明によれば、慣性センサーとしてジャイロセンサーを用いたので、電子時計の姿勢の変化や移動変化などを検出することができる。このため、例えば、電子時計を装着した腕で、空中に所定の文字や数字、記号などを描く動作を行った際に、それらの動作を検出できる。したがって、例えば、時針、分針、秒針を選択する第一の動作として、Ｈ，Ｍ，Ｓ等のそれらの時間を表す文字を描く動作を行ったり、表示時刻を修正する第二の動作として、修正するために数字を入力する動作を行うことができる。このため、第一の動作、第二の動作として、ユーザーが覚えやすい動作を設定でき、修正動作を容易に行うことができる。
【００１４】
本発明の電子時計において、前記慣性センサーは加速度センサーであり、前記制御部は、前記加速度センサーで検出される動作が、予め設定された第一の動作条件に該当した場合に、前記第一の動作を検出したと判断して前記時刻修正モードを実行し、前記時刻修正モードが実行された状態で、前記加速度センサーで検出された動作が、予め設定された第二の動作条件に該当した場合に、前記第二の動作を検出したと判断して、前記表示時刻を修正することが好ましい。
【００１５】
本発明によれば、慣性センサーとして加速度センサーを用いているので、電子時計をタップすることで加速度センサーに加わる衝撃や、電子時計の傾き、振動などを検出することができる。このため、電子時計をタップする動作や、傾けたり、振動を加える動作を、第一の動作条件や第二の動作条件に設定でき、簡単な動作で指針の選択と、修正量の指示とを行うことができる。
たとえば、第一および第二の動作条件として、電子時計をタップする回数を設定した場合には、電子時計をタップするという簡単な動作で、指針の選択と修正量の指示とを行うことができる。また、第二の動作は、第一の動作によって時刻修正モードが実行されている場合に検出されるため、第一の動作と第二の動作を共にタップ操作で共通化することもでき、この場合は、ユーザーは一つの動作のみを行えば良く、修正動作を容易に行うことができる。
また、加速度センサーは、タップ（衝撃）、傾き、振動などの複数の動作を検出できるので、第一の動作を電子時計を揺らして振動を加える動作とし、第二の動作をタップ動作とすることもできる。第一および第二の動作を異なる動作とすれば、ユーザーはどちらの動作を行っているのかを容易に把握でき、誤った動作を行うことを防止でき、修正動作を容易に行うことができる。
【００１６】
本発明の電子時計において、前記慣性センサーは、ジャイロセンサーおよび加速度センサーであり、前記制御部は、前記ジャイロセンサーで検出される電子時計の移動パターンが、予め設定された第一の動作用検出パターンに該当した場合に、前記第一の動作を検出したと判断して前記時刻修正モードを実行し、前記時刻修正モードが実行された状態で、前記加速度センサーで検出された動作が、予め設定された第二の動作条件に該当した場合に、前記第二の動作を検出したと判断して、前記表示時刻を修正することが好ましい。
【００１７】
本発明によれば、慣性センサーとして、ジャイロセンサーおよび加速度センサーを用い、第一の動作はジャイロセンサーで検出しているので、ユーザーが覚えやすい動作を設定できる。また、第二の動作は加速度センサーで検出しているので、タップ操作や振動の回数あるいは電子時計の傾きの角度などで修正量を入力することができ、修正動作を容易に行うことができる。
すなわち、ジャイロセンサーと加速度センサーとを併用することで、第一の動作および第二の動作をより簡単にかつ確実に検出することができる。
【００１８】
本発明の電子時計において、前記慣性センサーは、ジャイロセンサーおよび加速度センサーであり、前記制御部は、前記加速度センサーで検出される動作が、予め設定された第一の動作条件に該当した場合に、前記第一の動作を検出したと判断して前記時刻修正モードを実行し、前記時刻修正モードが実行された状態で、前記ジャイロセンサーで検出される電子時計の移動パターンが、予め設定された第二の動作用検出パターンに該当した場合に、前記第二の動作を検出したと判断して、前記表示時刻を修正することが好ましい。
【００１９】
本発明によれば、慣性センサーとして、ジャイロセンサーおよび加速度センサーを用い、第一の動作は加速度センサーで検出しているので、電子時計をタップしたり、傾けたり、揺らして振動を加えるといった簡単な動作で時刻修正モードの実行を指示できる。また、第二の動作はジャイロセンサーで検出しているので、数字を描く動作で修正量を入力することができ、修正動作を容易に行うことができる。
すなわち、加速度センサーとジャイロセンサーとを併用することで、第一の動作および第二の動作をより簡単にかつ確実に検出することができる。
【００２０】
本発明の電子時計において、報知部を備え、前記制御部は、前記第一の動作および前記第二の動作を検出した場合に、その検出結果を前記報知部によって報知することが好ましい。
【００２１】
報知部としては、ユーザーに対して動作の検出結果を報知できるものであればよく、例えば、音声や音を発生する装置、バイブレーションを発生する装置、ＬＥＤ等の光の点灯、点滅を行う装置などが利用できる。
本発明によれば、報知部を備えることで、ユーザーは電子時計に対して行った動作が正しく検出されたか等を容易に確認できる。さらに、音声で報知する場合には、具体的に修正対象がどの指針や時間単位であるかや、入力された修正量をユーザーが容易に確認できる。
【００２２】
本発明は、時刻を表示する時刻表示部と、動作を検出する慣性センサーとを備える電子時計の時刻修正方法であって、前記慣性センサーで所定の動作を検出した場合に、前記時刻表示部で表示される時刻を修正することを特徴とする。
【００２３】
本発明によれば、電子時計は慣性センサーを内蔵しているため、電子時計自体の動作を検出できる。このため、慣性センサーが所定の動作を検出した場合、表示時刻を修正することができ、簡単な動作で修正を指示できるため、表示時刻を容易に修正できる。
【００２４】
本発明の電子時計は、動作を検出する慣性センサーを有する外部入力装置から送信される情報を受信する受信部と、時刻を表示する時刻表示部と、前記受信部で受信した情報に基づいて、前記時刻表示部で表示される時刻を修正する制御部と、を有することを特徴とする。
【００２５】
本発明によれば、電子時計とは別体の外部入力装置に慣性センサーを設けたので、電子時計に慣性センサーを組み込む必要が無く、電子時計の小型化、薄型化を実現でき、電子時計の消費電力も低減できるため、持続時間を延ばすことができる。
【００２６】
本発明は、外部入力装置と、電子時計とを備える時刻修正システムであって、前記外部入力装置は、動作を検出する慣性センサーと、前記慣性センサーで検出した動作に基づく情報を送信可能な送信部とを有し、前記電子時計は、前記外部入力装置から送信される情報を受信する受信部と、時刻を表示する時刻表示部と、前記受信部で受信した情報に基づいて、前記時刻表示部で表示される時刻を修正する制御部とを有することを特徴とする。
【００２７】
本発明によれば、電子時計とは別体の外部入力装置に慣性センサーを設けたので、電子時計に慣性センサーを組み込む必要が無く、電子時計の小型化、薄型化を実現でき、電子時計の消費電力も低減できるため、持続時間を延ばすことができる。また、外部入力装置を複数の電子時計で兼用できるように構成すれば、複数の電子時計の表示時刻を、１つの外部入力装置によってまとめて修正することもでき、複数の電子時計の時刻合わせ作業も容易に行うことができる。
【図面の簡単な説明】
【００２８】
【図１】本発明の第１実施形態の電子時計を示す図。
【図２】第１実施形態の電子時計の構成を示すブロック図。
【図３】第１実施形態の電子時計の第１の動作の一例を示す図。
【図４】第１実施形態の電子時計の時刻修正方法を示すフローチャート。
【図５】第２実施形態の電子時計の構成を示すブロック図。
【図６】第２実施形態の電子時計の第１および第２の動作の一例を示す図。
【図７】第２実施形態の電子時計の時刻修正方法を示すフローチャート。
【図８】第３実施形態の電子時計の構成を示すブロック図。
【図９】第３実施形態の電子時計の時刻修正方法を示すフローチャート。
【図１０】第４実施形態の電子時計の構成を示すブロック図。
【図１１】第４実施形態の電子時計の時刻修正方法を示すフローチャート。
【図１２】第５実施形態の電子時計の構成を示すブロック図。
【図１３】第５実施形態の電子時計の第１の動作の一例を示す図。
【発明を実施するための形態】
【００２９】
［第１実施形態］
以下、本発明の第１実施形態の電子時計１を図面に基づいて説明する。
電子時計１は、図１に示すように、外装ケース２と、円板状の文字板３と、図示略のムーブメントと、複数の指針としてムーブメント内に設けられたモーターで駆動される秒針５、分針６、時針７と、文字板３に形成された日窓から視認可能な日車８とを備える。なお、電子時計１は、一般的な時計に設けられるリューズやボタンは設けられていない。
【００３０】
［電子時計の構成］
電子時計１は、図２に示すように、基本時計部１０と、時刻表示部２０と、モーションセンサー部３０と、時刻修正部４０とを備える。
基本時計部１０は、信号源である水晶振動子１１と、水晶振動子１１を駆動させる発振回路１２と、発振回路１２から出力される所定周波数（32768Hz）の発振信号を分周して基準信号を生成する分周部１３と、分周部１３から出力される基準信号に基づいて時刻を計時して指針による表示を制御する表示制御部１４とを備える。表示制御部１４は、基準信号に基づいて時刻を計時するために、秒カウンター１５、分カウンター１６、時カウンター１７を備える。
【００３１】
時刻表示部２０は、モータードライバー２１と、ステッピングモーター２２，２３，２４と、輪列２５，２６，２７と、秒針５、分針６、時針７とを備える。
モータードライバー２１は、表示制御部１４からの信号に基づいて、各ステッピングモーター２２，２３，２４に駆動パルスを出力する。
ステッピングモーター２２は、秒針用の輪列２５を介して秒針５を駆動する。ステッピングモーター２３は、分針用の輪列２６を介して分針６を駆動する。ステッピングモーター２４は、時針用の輪列２７を介して時針７を駆動する。
【００３２】
本実施形態では、表示制御部１４の秒カウンター１５は１秒毎にカウントアップし、１秒毎にモータードライバー２１に信号を出力する。このため、モータードライバー２１は、１秒毎に駆動パルスをステッピングモーター２２に出力し、ステッピングモーター２２は輪列２５を介して秒針５を６度毎にステップ運針する。したがって、秒針５は、６０ステップで１周する。
表示制御部１４の分カウンター１６は２０秒毎にカウントアップし、２０秒毎にモータードライバー２１に信号を出力する。このため、モータードライバー２１は、２０秒毎に駆動パルスをステッピングモーター２３に出力し、ステッピングモーター２３は輪列２６を介して分針６を２度毎にステップ運針する。したがって、分針６は、１８０ステップで１周する。
表示制御部１４の時カウンター１７は２分毎にカウントアップし、２分毎にモータードライバー２１に信号を出力する。このため、モータードライバー２１は、２分毎に駆動パルスをステッピングモーター２４に出力し、ステッピングモーター２４は輪列２７を介して時針７を１度毎にステップ運針する。したがって、時針７は、３６０ステップで１周する。
【００３３】
モーションセンサー部３０は、ジャイロセンサー３１と、デコーダー３２と、パターン認識部３３とを備える。
ジャイロセンサー３１は、Ｘ軸ジャイロセンサー、Ｙ軸ジャイロセンサー、Ｚ軸ジャイロセンサーを有し、Ｘ軸、Ｙ軸、Ｚ軸の角速度を検出することで、電子時計１のモーションを検出する。なお、電子時計１におけるＸ軸、Ｙ軸、Ｚ軸は適宜設定できるが、例えば、文字板３の表面に平行な平面において、文字板３の３時−９時を結ぶ方向をＸ軸、１２−６時を結ぶ方向をＹ軸、Ｘ軸およびＹ軸に直交する時計厚さ方向をＺ軸に設定すればよい。
【００３４】
デコーダー３２は、ジャイロセンサー３１で検出された検出データ（角速度データ）をデコードし、電子時計１の移動データを求める。
パターン認識部３３は、デコーダー３２で求めた電子時計１の移動データ（移動軌跡データ）から、電子時計１のモーションのパターンを認識する。
例えば、図３に示すように、電子時計１を手首に嵌めたユーザーが、図３の二点鎖線で示す位置から実線で示す位置まで、空中で「Ｈ」の字を描くような軌跡Ｔで手を移動した場合、パターン認識部３３は、電子時計１が「Ｈ」のパターンで移動したと認識し、パターン「Ｈ」を表すパターン信号を出力する。
本実施形態では、修正対象の指針を選択する第一の動作は、電子時計１を移動させた際の軌跡が、「Ｈ、Ｍ、Ｓ」のいずれかに該当することである。このため、パターン認識部３３は、これらの第一の動作を検出するため、第一の動作用検出パターンを記憶しており、デコーダー３２でデコードされた電子時計１の移動データが、前記第一の動作用検出パターンに該当するかを判定する。
【００３５】
また、修正対象の指針の修正を指示する第二の動作は、時刻修正モードが実行された状態で、電子時計１を往復移動させることである。このため、パターン認識部３３は、第二の動作を検出するため、第二の動作用検出パターンを記憶しており、デコーダー３２でデコードされた電子時計１の移動データが、前記第二の動作用検出パターンに該当するかを判定する。例えば、電子時計１を装着した腕を叩いたり、腕を上下や左右に振ることで、電子時計１が往復移動した場合、パターン認識部３３は、「往復移動」を表すパターン信号を出力する。なお、第二の動作は「往復移動」に限定されず、電子時計１を「叩く」動作でもよいし、「回転させる」動作でもよい。なお、電子時計１を「回転させる」動作とは、例えば、電子時計１を装着した手首を左右にひねる動作である。
【００３６】
時刻修正部４０は、パターン信号変換記憶部４１と、パターン信号変換部４２と、修正指示部４３とを備える。
パターン信号変換記憶部４１は、ＲＯＭやＥＥＰＲＯＭ等で構成され、パターン認識部３３から出力されるパターン信号と、そのパターン信号に対応する処理信号との関係を予め記憶している。
【００３７】
パターン信号変換部４２は、パターン認識部３３から出力されるパターン信号に対する処理信号をパターン信号変換記憶部４１から読み出して修正指示部４３に出力する。
パターン信号変換部４２は、パターン信号が「Ｈ」の場合、時針修正モードを実行する処理信号を出力し、パターン信号が「Ｍ」の場合、分針修正モードを実行する処理信号を出力し、パターン信号が「Ｓ」の場合、秒針修正モードを実行する処理信号を出力する。
また、パターン信号変換部４２は、パターン信号が電子時計１の往復移動パターンの場合、修正対象の指針５〜７の表示時刻の修正を指示する処理信号を出力する。
【００３８】
修正指示部４３は、パターン信号変換部４２から入力される処理信号に基づいて、表示制御部１４に指針５〜７の修正を指示する。例えば、パターン信号変換部４２から時針修正モードの処理信号が入力された後、表示時刻の修正を指示する処理信号が入力されると、修正対象となっている時針７の移動を指示する。
修正指示部４３は、往復１回のパターンが入力される毎に、最小時間単位つまり秒針５であれば１秒、分針６であれば１分、時針７であれば１時間の移動を指示する。このため、修正指示部４３は、分周部１３から入力される３２Ｈｚや６４Ｈｚ等の信号を用いて、秒針５を１秒進める場合は、表示制御部１４の秒カウンター１５で１秒分（１ステップ分）カウントアップし、分針６を１分進める場合は、表示制御部１４の分カウンター１６を１分分（３ステップ分）カウントアップし、時針７を１時間進める場合は、表示制御部１４の時カウンター１７を１時間分（３０ステップ分）カウントアップする。
したがって、電子時計１において、時刻修正部４０によって、時刻表示部２０で表示される時刻を修正する制御部が構成されている。
【００３９】
次に、本実施形態の電子時計１の時刻修正方法に関し、図４のフローチャートを参照して説明する。
時刻修正部４０は、秒針５、分針６、時針７による現時刻の表示を行う基本時計モードの実行中に、モーションセンサー部３０で認識された電子時計１の移動軌跡のパターン信号が「Ｈ」、「Ｍ」、「Ｓ」であるか、つまり第一の動作であるかを判定する処理を行う（Ｓ１）。時刻修正部４０は、Ｓ１で「ＮＯ」の場合、基本時計モードを継続しながら、Ｓ１の認識判定処理を継続する。
時刻修正部４０は、Ｓ１で「ＹＥＳ」と判定した場合、パターンに応じた指針を選択して、選択した指針の時刻修正モードを実行する（Ｓ２）。すなわち、時刻修正部４０は、パターンが「Ｓ」の場合は秒針５を選択して秒針修正モードを実行し、パターンが「Ｍ」の場合は分針６を選択して分針修正モードを実行し、パターンが「Ｈ」の場合は時針７を選択して時針修正モードを実行する。
【００４０】
次に、時刻修正部４０は、モーションセンサー部３０で往復移動のパターン、つまり第二の動作を認識したかを判定する（Ｓ３）。
時刻修正部４０は、Ｓ３で「ＹＥＳ」と判定した場合は、表示制御部１４に信号を出力して、選択中の指針を認識した往復移動に応じて運針する（Ｓ４）。すなわち、Ｓ３では、通常、往復移動を１回毎に検出するため、秒針５が選択されている場合は、秒針５を１秒運針する。また、分針６が選択されている場合は、分針６を１分運針し、時針７が選択されている場合は、時針７を１時間運針する。
時刻修正部４０は、継続して往復移動をパターン認識したかを判定し（Ｓ５）、認識している場合（Ｓ５でＹＥＳ）は、選択中の指針の運針を継続する（Ｓ４）。したがって、ユーザーが電子時計１を装着した腕の往復移動を継続して行うと、１回の往復移動毎に選択した指針が、その指針が指示する時間単位（時分秒）の最小時間単位毎（秒は１秒、分は１分、時は１時間）に指針を移動する。このため、ユーザーは、指針の移動を確認しながら、修正したい位置まで指針を移動させることができる。
【００４１】
時刻修正部４０は、Ｓ５で「ＮＯ」と判定した場合は、パターン信号が「Ｈ」、「Ｍ」、「Ｓ」であるかを判定する（Ｓ６）。ユーザーは、一つの指針の修正が終わった後に、他の指針の修正を行う場合、他の指針を選択するための第一の動作を行う。このため、時刻修正部４０は、モーションセンサー部３０から入力されたパターン信号が「Ｈ」、「Ｍ」、「Ｓ」のいずれかであれば、パターンに応じた指針の選択処理（Ｓ２）に戻り、Ｓ３以降の処理を再度実行する。
【００４２】
時刻修正部４０は、Ｓ６で「ＮＯ」と判定した場合は、タイムアウトになったか否かを判定する（Ｓ７）。時刻修正部４０は、モーションセンサー部３０から「Ｈ」、「Ｍ」、「Ｓ」、往復移動のいずれかのパターン信号が、所定時間、例えば１０秒間継続して入力されなかった場合に、ユーザーが指針の修正動作を終了してタイムアウトになったと判断する。
また、時刻修正部４０は、Ｓ３で「ＮＯ」と判定した場合、つまり、ユーザーが指針の選択動作は行ったが、指針の修正動作を行わなかった場合も、タイムアウトになったか否かを判定する（Ｓ７）。
【００４３】
時刻修正部４０は、Ｓ７で「ＮＯ」と判定した場合、つまり最後にパターン信号が入力されてから１０秒経過していない場合は、Ｓ５に戻って処理を継続する。
時刻修正部４０は、Ｓ７で「ＹＥＳ」と判定した場合は、指針の修正操作を終了し（Ｓ８）、基本時計モードに戻る。
【００４４】
なお、図示は省略したが、電子時計１の日車８を修正する場合も、例えば、電子時計１の移動軌跡が「Ｄ」となった場合に、日車８を修正対象とし、その後、電子時計１を往復移動する毎に、日車８を１日毎に進める制御を行えば良い。
【００４５】
［第１実施形態の作用効果］
このような第１実施形態によれば、次の作用効果を奏することができる。
電子時計１によれば、電子時計１を装着した腕で、修正する指針を選択するための第一の動作と、指針を移動するための第二の動作を行うだけで、指針５〜７の表示時刻を修正することができる。このため、従来の時計のように、リューズやボタンを操作したり、カバー部でドラッグ動作を行うことで、表示時刻を修正する必要が無く、表示時刻の修正操作を容易にかつ簡単に行うことができる。特に、本実施形態では、電子時計１自体を移動させることで第一の動作や第二の動作を実現するため、電子時計１を装着した腕を移動させるだけでよいため、指先を動かすことが苦手なユーザーであっても時刻修正を行うことができ、従来に比べてユニバーサルデザインに配慮した電子時計１とすることができる。
【００４６】
また、モーションセンサー部３０で認識すべきパターンが限定されているので、電子時計１に組み込み可能なモーションセンサー部３０でも十分に実用化できる。すなわち、モーションセンサー部３０は、少なくとも、「Ｈ」、「Ｍ」、「Ｓ」、「往復移動」の４種類のパターンを判別すればよいため、ユーザーによってパターンの描き方が多少異なっていても、十分に認識することができる。
また、モーションセンサー部３０にパターン認識部３３を設けたので、モーションセンサー部３０から時刻修正部４０には認識結果のパターン信号のみを出力すればよく、ジャイロセンサー３１から出力された角速度データなどを出力する必要が無い。このため、時刻修正部４０でのデータ処理を簡単にできる。
【００４７】
時刻修正部４０は、１往復移動によって、選択された指針５〜７を最小時間単位毎、つまり１秒、１分、１時間だけ運針するため、ユーザーにとって修正操作が理解しやすく、操作性を向上できる。
【００４８】
電子時計１は、リューズやボタンを無くすことができ、電子時計１のデザインの自由度を向上できる。また、外装ケース２にリューズの巻真やボタン軸を挿通するための貫通孔を形成する必要が無いため、防水性を向上できる。さらに、リューズから外装ケース２の回路基板に静電気が流れることもなく、静電気対策を容易に行うことができる。また、電子時計１を手首に装着した際に、リューズやボタンが腕に当たることもなく、衣服などに引っかかることも無くすことができる。
【００４９】
［第２実施形態］
次に、本実施形態の第２実施形態の電子時計１Ｂについて説明する。
第２実施形態の電子時計１Ｂは、図５に示すように、第１実施形態のモーションセンサー部３０の代わりに、加速度センサー部３０Ｂを設け、時刻修正部４０Ｂが加速度センサー部３０Ｂによるタップ操作によって、修正対象の指針や修正量を認識する点が相違する。その他の構成は、電子時計１と同様であるため、説明を省略する。
【００５０】
加速度センサー部３０Ｂは、加速度センサー３１Ｂと、加速度センサー３１Ｂで検出した測定データ（加速度信号）をデコードするデコーダー３２Ｂと、デコーダー３２Ｂから出力されるデータに基づいて、電子時計１を指などでタップ（叩く）する操作が行われたか否かを認識するタップ認識部３３Ｂとを備える。タップ認識部３３Ｂは、加速度信号を閾値と比較し、閾値を超えた場合に、タップ操作が行われたと判断する。
このため、加速度センサー部３０Ｂは、図６に示すように、電子時計１Ｂを指でタップする操作が行われた場合に、タップ操作の回数を検出することができる。
【００５１】
制御部である時刻修正部４０Ｂは、タップ信号変換記憶部４１Ｂと、タップ信号変換部４２Ｂと、修正指示部４３Ｂとを備える。
タップ信号変換記憶部４１Ｂは、ＲＯＭやＥＥＰＲＯＭ等で構成され、タップ信号の回数と、その回数に対応する処理信号との関係を記憶する。
【００５２】
タップ信号変換部４２Ｂは、タップ認識部３３Ｂから出力されるタップ信号からタップ回数を判定し、その回数に応じた処理信号をタップ信号変換記憶部４１Ｂから読み出して修正指示部４３Ｂに出力する。なお、タップ回数の判定は、タップ操作が２秒以上空いた場合にタップ操作が終了したと判定している。すなわち、タップ信号変換部４２Ｂは、タップ信号の入力が２秒未満の間隔で継続している場合は、一連のタップ操作が行われていると判定し、タップ信号が入力される毎にタップ回数を加算する。一方、タップ信号変換部４２Ｂは、タップ信号の入力間隔が２秒以上であった場合は、２秒以上の経過前のタップ入力は一旦終了し、その後のタップ入力は異なる新たな情報の入力操作であると判定する。
そして、タップ信号変換部４２Ｂは、時刻修正モードに移行する前に、２回以上のタップ信号が入力された場合、すなわち、タップ回数が予め設定された第一の動作検出用回数（第一の動作条件）に該当した場合は、時刻修正モードを実行する処理信号を出力する。具体的には、タップ回数が２回の場合は時針修正モードの処理信号を出力し、３回の場合は分針修正モードの処理信号を出力し、４回の場合は秒針修正モードの処理信号を出力する。さらに、タップ回数が４回以上の場合は、回数が増えるに従って、時針修正モード、分針修正モード、秒針修正モードの処理信号を順次切り替えて出力する。これにより修正対象の指針の選択操作が行われる。従って、第２実施形態では、第一の動作は、時刻修正モードが実行される前の２回以上のタップ動作である。
次に、タップ信号変換部４２Ｂは、新たなタップ信号の入力が行われると、そのタップ回数に応じて、選択された指針５〜７の移動を制御する処理信号を出力する。従って、第２実施形態では、第二の動作条件は、時刻修正モードが実行されている場合の１回以上のタップ動作である。
【００５３】
修正指示部４３Ｂは、タップ信号変換部４２Ｂから入力される処理信号に基づいて、表示制御部１４に指針５〜７の修正を指示する。すなわち、タップ信号変換部４２Ｂから時針７を修正対象として選択する信号が入力された後、指針の修正を指示する処理信号が入力されると、修正対象となっている時針７の修正を指示する。すなわち、修正指示部４３Ｂは、タップ信号が入力される毎に、秒針５であれば１秒、分針６であれば１分、時針７であれば１時間の修正を指示する。
【００５４】
次に、電子時計１Ｂの時刻修正方法に関し、図７のフローチャートを参照して説明する。
時刻修正部４０Ｂは、基本時計モードの実行中、加速度センサー部３０Ｂで２回以上のタップ入力（第一の動作）を認識したかを判定する（Ｓ１１）。時刻修正部４０Ｂは、Ｓ１１で「ＮＯ」の場合、Ｓ１１の認識判定処理を継続する。
時刻修正部４０Ｂは、Ｓ１１で「ＹＥＳ」と判定した場合、タップ回数に応じた指針を選択する（Ｓ１２）。すなわち、時刻修正部４０Ｂは、タップ回数が２回の場合は時針７を選択し、３回の場合は分針６を選択し、４回の場合は秒針５を選択し、選択した指針の時刻修正モードを実行する。さらに、タップ回数が５回以上の場合も、回数が増えるに従って、時針７、分針６、秒針５の選択を切り換える。
【００５５】
次に、時刻修正部４０Ｂは、時刻修正モードの実行時に、加速度センサー部３０Ｂでタップ入力（第二の動作）を認識したかを判定する（Ｓ１３）。
時刻修正部４０Ｂは、Ｓ１３で「ＹＥＳ」と判定した場合は、表示制御部１４に信号を出力して、選択中の指針を認識したタップ入力に応じて運針する（Ｓ１４）。Ｓ１３では、通常、タップ入力を１回毎に検出するため、秒針５が選択されている場合は秒針５を１秒運針し、分針６が選択されている場合は分針６を１分運針し、時針７が選択されている場合は時針７を１時間運針する。
時刻修正部４０Ｂは、継続してタップ操作が行われているかを判定する（Ｓ１５）。前述の通り、２秒未満間隔でタップ入力がある場合は、運針用のタップ操作が継続していると考えられるため、時刻修正部４０Ｂはタップ入力有りと判定し（Ｓ１５でＹＥＳ）、選択中の指針の運針を継続する（Ｓ１４）。したがって、ユーザーが電子時計１をタップする操作を継続して行うと、修正対象の指針は、１回のタップ入力毎に、その指針が指示する時間単位（時分秒）の最小時間単位毎（秒は１秒、分は１分、時は１時間）に移動する。このため、ユーザーは、指針の移動を確認しながら、修正したい位置まで指針を移動させることができる。
【００５６】
時刻修正部４０Ｂは、Ｓ１５で「ＮＯ」と判定した場合、すなわち、前回のタップ入力から２秒以上タップ入力が無かった場合は、Ｓ１５で「ＮＯ」と判定し、時刻修正モードを終了する。そして、時刻修正部４０Ｂは、新たに２回以上のタップ入力（第一の動作）があったかを判定する（Ｓ１６）。
時刻修正部４０Ｂは、新たに２回以上のタップ入力を認識した場合、タップ回数に応じた指針の選択処理（Ｓ１２）に戻り、Ｓ１３以降の処理を再度実行する。
【００５７】
時刻修正部４０Ｂは、第１実施形態と同様に、Ｓ１６で「ＮＯ」と判定した場合と、Ｓ１３で「ＮＯ」と判定した場合に、タイムアウトになったか否かを判定する（Ｓ１７）。
時刻修正部４０Ｂは、Ｓ１７で「ＮＯ」と判定した場合は、Ｓ１５に戻って処理を継続し、Ｓ１７で「ＹＥＳ」と判定した場合は、指針の修正操作を終了し（Ｓ１８）、基本時計モードに戻る。
【００５８】
なお、第２実施形態において電子時計１の日車８を修正する場合も、例えば、タップ回数が５回の場合に日車８を修正対象とし、その後、タップ入力が行われる毎に、日車８を１日毎に進める制御を行えばよい。
【００５９】
［第２実施形態の作用効果］
第２実施形態の電子時計１Ｂにおいても、前記第１実施形態と同様の作用効果を奏することができる上、次のような効果も得られる。
すなわち、電子時計１Ｂでは、タップ入力のみで修正対象の指針５〜７の選択と、選択された指針５〜７の表示時刻の修正とを行うことができる。このため、ユーザーは、タップ操作のみを行えばよいため、修正動作を容易に行うことができる。また、ジャイロセンサー３１に比べて安価な加速度センサー３１Ｂのみを設けることで実現することができ、電子時計１Ｂのコストも低減できる。
【００６０】
［第３実施形態］
次に、本実施形態の第３実施形態の電子時計１Ｃについて説明する。
第３実施形態の電子時計１Ｃは、図８に示すように、第１実施形態の電子時計１に対して、モーションセンサー部３０Ｃおよび時刻修正部４０Ｃが相違する。その他の構成は、電子時計１と同様であるため、説明を省略する。
【００６１】
電子時計１Ｃのモーションセンサー部３０Ｃは、ジャイロセンサー３１、デコーダー３２、パターン認識部３３Ｃを備える。ジャイロセンサー３１、デコーダー３２は、第１実施形態のモーションセンサー部３０と同じである。パターン認識部３３Ｃは、認識可能なパターンがパターン認識部３３と相違するだけであり、基本構成は同じである。すなわち、パターン認識部３３Ｃは、電子時計１の大きな上下動のモーションと、数字のモーションとを認識可能に設定されている。
【００６２】
制御部である時刻修正部４０Ｃは、パターン信号変換記憶部４１Ｃ、パターン信号変換部４２Ｃ、修正指示部４３Ｃに加えて、修正時刻デコーダー４４Ｃを備える。
パターン信号変換記憶部４１Ｃは、ＲＯＭやＥＥＰＲＯＭ等で構成され、パターン認識部３３Ｃから出力されるパターン信号と、そのパターン信号に対応する処理信号との関係を記憶する。
パターン信号変換部４２Ｃは、パターン信号に対する処理信号をパターン信号変換記憶部４１Ｃから読み出して修正時刻デコーダー４４Ｃに出力する。
例えば、パターン信号変換部４２Ｃは、パターン認識部３３Ｃから上下動の２回以上のモーションが出力された場合は時刻修正モードに移行し、その上下動のモーションが２回の場合は時針修正モードを実行する処理信号を出力し、３回の場合は分針修正モードを実行する処理信号を出力し、４回の場合は秒針修正モードを実行する処理信号を出力する。さらに、４回以上の場合は、回数が増えるに従って、時針修正モード、分針修正モード、秒針修正モードを実行する処理信号を順次切り替えて出力する。これにより修正対象の指針の選択操作が行われる。
【００６３】
パターン信号変換部４２Ｃは、数字のモーションが入力された場合は、その数字を修正時刻デコーダー４４Ｃに出力する。電子時計１Ｃでは、選択した指針５〜７の修正目標値を、ユーザーが数字のモーションで入力するように設定されている。例えば、秒針５を０秒に修正する場合は、電子時計１Ｃを装着した腕を、空中に数字の「０」を描くような軌跡で動かせばよい。また、分針６を３０分に修正する場合は、「３」と「０」との２つの数字を、十位の数字の後に、一位の数字を描くような軌跡で電子時計１Ｃを動かせばよい。時針７を２３時に修正する場合も、「２」と「３」との２つの数字を、この順番で描くような軌跡で電子時計１Ｃを動かせばよい。
【００６４】
修正時刻デコーダー４４Ｃは、パターン信号変換部４２Ｃから入力される処理信号によって、修正対象の指針を特定し、さらに数字のモーション入力によりその指針の修正位置を特定する。この際、修正時刻デコーダー４４Ｃは、修正対象の指針の種類に応じて、設定有効範囲外の数字が入力された場合は、誤入力であると判断して、修正指示を修正指示部４３Ｃに出力しない。
例えば、修正対象が時針７の場合に、設定可能な数字は「０」から「２３」とされている。この場合に、数字「５」および「０」がパターン信号変換部４２Ｃから入力された場合、修正時刻デコーダー４４Ｃは、「５０」は設定不可能な数字であるため、モーションセンサー部３０Ｃで誤検出した判定する。同様に、秒針５や分針６の場合、設定可能な数字は「０」から「５９」とされ、「６０」以上の数字は設定不可能な数字と判断される。
この場合、修正時刻デコーダー４４Ｃから修正指示部４３Ｃに修正指示が出力されないため、指針５〜７の修正も行われない。したがって、ユーザーは、修正が開始されないことで誤入力と判定されたことを把握できるため、再度、入力操作を行えばよい。なお、修正時刻デコーダー４４Ｃは、誤検出した場合に、修正指示部４３Ｃを介して、指針５〜７を一定角度で往復させるなど、特別な運針を行って、誤入力と判定されたことをユーザーに告知してもよい。
【００６５】
修正指示部４３Ｃは、修正時刻デコーダー４４Ｃから、修正対象の指針５〜７の種類と、目標値とが入力されると、表示制御部１４の各カウンター１５〜１７において修正対象の指針５〜７のカウンター値を読み込み、目標値との差分を求める。
この際、ステッピングモーター２２〜２４が正転および逆転可能であるか、または正転のみ可能であるかにより、差分値の求め方も異なる。例えば、ステッピングモーター２２が正転のみ可能な場合に、秒針５を「４０秒」から「２０秒」に変更する場合、修正指示部４３Ｃは目標値（２０秒）との差分を「＋４０秒」と設定する。そして、修正指示部４３Ｃは、カウンター１５を＋４０秒分だけ更新するための早送り信号を出力し、モータードライバー２１はこの信号に連動してステッピングモーター２２を正転方向に４０ステップ分駆動する信号を出力する。
一方、ステッピングモーター２２が正逆両方向に回転可能な場合は、修正指示部４３Ｃは修正量の小さい方向で差分値を求める。このため、修正指示部４３Ｃは目標値との差分を「−２０秒」と設定する。そして、修正指示部４３Ｃは、カウンター１５を−２０秒分だけ更新するための逆転方向の早送り信号を出力し、モータードライバー２１はこの信号に連動してステッピングモーター２２を逆転方向に２０ステップ分駆動する信号を出力する。
なお、ステッピングモーター２２が正逆両方向に回転可能な場合、修正指示部４３Ｃは修正量の大小で正転、逆転を判断せずに、他の条件によって判断してもよい。
例えば、ステッピングモーター２２の消費電力に応じて正転、逆転を判断してもよい。すなわち、ステッピングモーター２２は、逆転に比べて正転の消費電力が小さい場合が多く、逆転方向の修正角度よりも正転方向の修正角度のほうが大きい場合でも消費電力が小さくなる場合がある。したがって、修正指示部４３Ｃは、消費電力によって正転、逆転を設定してもよい。
また、指針の修正角度が小さいと、ユーザーは指針が修正中であることを確認し難い可能性もある。このため、修正指示部４３Ｃは、指針の修正角度が所定角度（例えば９０度）以上となる方向の駆動信号を出力するようにしてもよい。
【００６６】
次に、電子時計１Ｃの時刻修正方法に関し、図９のフローチャートを参照して説明する。
時刻修正部４０Ｃは、基本時計モードの実行中、モーションセンサー部３０Ｃで２回以上の上下動（第一の動作）を検出したかを判定する（Ｓ３１）。時刻修正部４０Ｃは、Ｓ３１で「ＮＯ」の場合、Ｓ３１の認識判定処理を継続する。
時刻修正部４０Ｃは、Ｓ３１で「ＹＥＳ」と判定した場合、上下動回数に応じた指針を選択して、時刻修正モードを実行する（Ｓ３２）。すなわち、時刻修正部４０Ｃは、上下動回数が２回の場合は時針７を選択し、３回の場合は分針６を選択し、４回の場合は秒針５を選択して、時刻修正モードを実行する。さらに、上下動回数が５回以上の場合、５回で時針７、６回で分針６、７回で秒針５のように、回数が増えるに従って、時針７、分針６、秒針５の選択を切り換える。
【００６７】
次に、時刻修正部４０Ｃは、モーションセンサー部３０Ｃで数字のモーション入力（第二の動作）を認識したかを判定する（Ｓ３３）。
時刻修正部４０Ｃの修正時刻デコーダー４４Ｃは、Ｓ３３で「ＹＥＳ」と判定した場合は、修正対象として選択された指針５〜７の時刻を修正する数字として有効範囲内であるか否かを判定する（Ｓ３４）。
修正時刻デコーダー４４Ｃは、Ｓ３４で「ＹＥＳ」と判定すると、修正指示部４３Ｃに修正対象の指針５〜７と、その指針５〜７の修正後の時間である修正目標時間を出力する。修正指示部４３Ｃは、修正目標時間と、修正対象の指針５〜７のカウンター値との差分を求め、その差分に応じた信号を表示制御部１４に出力し、選択中の指針を運針する（Ｓ３５）。
次に、時刻修正部４０Ｃは、第１，２実施形態と同様に、修正対象の指針を切り換えるために、２回以上の上下動を検出したかを判定する（Ｓ３６）。時刻修正部４０Ｃは、Ｓ３６で「ＹＥＳ」と判定すると、指針の選択処理（Ｓ３２）に戻り、Ｓ３３以降の処理を実行する。
【００６８】
時刻修正部４０Ｃは、Ｓ３６で「ＮＯ」と判定した場合と、Ｓ３３およびＳ３４で「ＮＯ」と判定した場合は、タイムアウトになったか否かを判定する（Ｓ３７）。
時刻修正部４０Ｃは、Ｓ３７で「ＮＯ」と判定した場合は、Ｓ３６に戻って処理を継続し、Ｓ３７で「ＹＥＳ」と判定した場合は、指針の修正操作を終了し（Ｓ３８）、基本時計モードに戻る。
【００６９】
なお、電子時計１の日車８を修正する場合も、例えば、上下動回数が５回の場合に日車８を修正対象とし、数字のモーション入力で「１」から「３１」までの数字を入力し、その日付と現在表示されている日付との差分を求めて日車８を駆動すればよい。
【００７０】
［第３実施形態の作用効果］
第３実施形態の電子時計１Ｃにおいても、前記第１、２実施形態と同様の作用効果を奏することができる上、次のような効果も得られる。
すなわち、電子時計１Ｃでは、数字のモーションを判定できるように構成し、修正後の時刻を直接入力できるようにしたので、ユーザーは修正後の時刻を直接入力すればよく、修正作業を容易に行うことができる。
また、正逆両方向に回転可能なステッピングモーター２２〜２４を用いれば、修正量を少なくすることもでき、修正作業時間も短縮できる。
【００７１】
［第４実施形態］
次に、本実施形態の第４実施形態の電子時計１Ｄについて説明する。
第４実施形態の電子時計１Ｄは、図１０に示すように、第１実施形態の電子時計１に対して、モーションセンサー部３０Ｄおよび加速度センサー部３０Ｂを備え、モーションとタップ操作とを組み合わせて時刻修正作業を行う点が相違する。その他の構成は、電子時計１、１Ｂ、１Ｃ等と同様であるため、説明を省略する。
【００７２】
電子時計１Ｄのモーションセンサー部３０Ｄは、ジャイロセンサー３１、デコーダー３２、パターン認識部３３Ｄを備える。ジャイロセンサー３１、デコーダー３２は、第１実施形態のモーションセンサー部３０と同じであり、パターン認識部３３Ｄは、認識可能なパターンがパターン認識部３３と相違するだけであり、基本構成は同じである。すなわち、パターン認識部３３Ｄは、電子時計１を装着した手首を左右に回転する（ひねる）モーションを認識可能に設定されている。また、加速度センサー部３０Ｂは、電子時計１Ｂと同一のものであり、電子時計１のタップ操作を検出可能に構成されている。
【００７３】
制御部である時刻修正部４０Ｄは、信号変換記憶部４１Ｄと、信号変換部４２Ｄと、修正指示部４３Ｄとを備える。この時刻修正部４０Ｄは、モーションセンサー部３０Ｄおよび加速度センサー部３０Ｂから出力される信号によって指針の選択と、指針の修正量とを検出するように構成されている。
信号変換記憶部４１Ｄは、ＲＯＭやＥＥＰＲＯＭ等で構成され、パターン認識部３３Ｄから出力されるパターン信号、および、加速度センサー部３０Ｂから出力されるタップ信号の回数と、それらに対応する処理信号との関係を記憶する。
【００７４】
信号変換部４２Ｄは、パターン信号やタップ信号に対する処理信号を信号変換記憶部４１Ｄから読み出して修正指示部４３Ｄに出力する。
信号変換部４２Ｄは、パターン認識部３３Ｄから手首の２回以上の回転動作を検出した場合は時針修正モードに移行し、手首の回転動作が２回の場合は時針修正モードを実行する処理信号を出力し、３回の場合は分針修正モードを実行する処理信号を出力し、４回の場合は秒針修正モードを実行する処理信号を出力する。さらに、４回以上の場合は、回数が増えるに従って、時針修正モード、分針修正モード、秒針修正モードを実行する処理信号を順次切り替えて出力する。これにより修正対象の指針の選択操作が行われる。なお、ユーザーが意識をせずに手首を回転してしまう可能性もあるため、信号変換部４２Ｄは、２秒間停止した場合に、指針の選択用の第一の動作が確定し、その時点までの回転動作の回数によって、指針を選択して、時刻修正モードを実行する。
【００７５】
次に、信号変換部４２Ｄは、加速度センサー部３０Ｂからタップ信号が入力されると、そのタップ回数に応じて、選択された指針５〜７の修正を制御する処理信号を出力する。従って、第４実施形態では、第二の動作は、時刻修正モードが実行されている場合の１回以上のタップ動作である。
【００７６】
修正指示部４３Ｄは、信号変換部４２Ｄから入力される処理信号に基づいて、表示制御部１４に指針５〜７の修正を指示する。すなわち、信号変換部４２Ｄから時針７を修正対象として選択する信号が入力された後、指針の修正を指示する処理信号が入力されると、修正対象となっている時針７の修正を指示する。すなわち、修正指示部４３Ｄは、タップ信号が入力される毎に、秒針５であれば１秒、分針６であれば１分、時針７であれば１時間の修正を指示する。
【００７７】
次に、電子時計１Ｄの時刻修正方法に関し、図１１のフローチャートを参照して説明する。
時刻修正部４０Ｄは、基本時計モードの実行中、モーションセンサー部３０Ｄで、電子時計１を装着した手首を２回以上回転したことを認識したかを判定する（Ｓ４１）。時刻修正部４０Ｄは、Ｓ４１で「ＮＯ」の場合、Ｓ４１の認識判定処理を継続する。
時刻修正部４０Ｄは、Ｓ４１で「ＹＥＳ」と判定した場合、電子時計１Ｄが２秒以上停止したか、つまりユーザーが意識的に停止させたかを判定する（Ｓ４２）。時刻修正部４０Ｄは、Ｓ４２で「ＮＯ」の場合、Ｓ４１の認識判定処理に戻って処理を継続する。
【００７８】
時刻修正部４０Ｄは、Ｓ４２で「ＹＥＳ」と判定した場合、回転数に応じた指針を選択する（Ｓ４３）。すなわち、時刻修正部４０Ｄは、回転数が２回の場合は時針７を選択し、３回の場合は分針６を選択し、４回の場合は秒針５を選択する。さらに、回転数が５回以上の場合、回数が増えるに従って、時針７、分針６、秒針５の選択を切り換える。
【００７９】
次に、時刻修正部４０Ｄは、加速度センサー部３０Ｂでタップ入力を認識したかを判定する（Ｓ４４）。
時刻修正部４０Ｄは、Ｓ４４で「ＹＥＳ」と判定した場合は、表示制御部１４に信号を出力して、選択中の指針を認識したタップ入力に応じて運針する（Ｓ４５）。１回のタップ入力を検出する毎に、秒針５が選択されている場合は秒針５を１秒運針し、分針６が選択されている場合は分針６を１分運針し、時針７が選択されている場合は時針７を１時間運針する。
時刻修正部４０Ｄは、継続してタップ操作が行われているかを判定し（Ｓ４６）、タップ入力がある場合（Ｓ４６でＹＥＳ）は、選択中の指針の運針を継続する（Ｓ４５）。
一方、時刻修正部４０Ｄは、Ｓ４６で「ＮＯ」と判定した場合は、新たに２回以上の回転動作があったかを判定し（Ｓ４７）、Ｓ４７で「ＹＥＳ」の場合は、回転数に応じた指針の選択処理（Ｓ４３）に戻り、Ｓ４４以降の処理を再度実行する。
【００８０】
時刻修正部４０Ｄは、Ｓ４７で「ＮＯ」と判定した場合と、Ｓ４４で「ＮＯ」と判定した場合は、タイムアウトになったか否かを判定する（Ｓ４８）。
時刻修正部４０Ｂは、Ｓ４８で「ＮＯ」と判定した場合は、Ｓ４６に戻って処理を継続し、Ｓ４８で「ＹＥＳ」と判定した場合は、指針の修正操作を終了し（Ｓ４９）、基本時計モードに戻る。
【００８１】
［第４実施形態の作用効果］
第４実施形態の電子時計１Ｄにおいても、前記第１〜３実施形態と同様の作用効果を奏することができる上、次のような効果も得られる。
モーションセンサー部３０Ｄ、加速度センサー部３０Ｂを備えているので、修正対象の指針選択操作と、指針５〜７の修正量の入力操作とをまったく異なる動作で行うことができ、ユーザーの入力操作性を向上できる。
また、手首の回転動作をモーションセンサー部３０Ｄで検出して指針の選択操作を行っているので、「Ｈ、Ｍ、Ｓ」の文字をモーションで入力する場合に比べて、腕を動かす動作を小さくでき、ユーザーの負担を軽減できる。
また、修正量の入力としてタップ回数を用いているので、例えば電子時計１Ｄを往復移動させる場合に比べて簡単にかつ迅速に入力でき、数字をモーション入力する場合に比べて数を誤入力する可能性が低くなり、修正量を確実に入力できる。
【００８２】
［第５実施形態］
次に、本実施形態の第５実施形態について説明する。
第５実施形態は、外部入力装置６０と、電子時計１Ｅとを備える時刻修正システム１００である。
時刻修正システム１００は、図１２に示すように、ジャイロセンサー６１を電子時計１Ｅ内ではなく、電子時計１Ｅとは別体とされた外部入力装置６０に組み込み、外部入力装置６０でモーション入力を行うことができるように構成したものである。
なお、電子時計１Ｅは、外部入力装置６０との無線通信を行う通信部（受信部）である通信モジュール５０を備える点と、時刻修正部４０Ｅにはパターン信号変換記憶部４１やパターン信号変換部４２は設けられておらず、修正指示部４３のみが設けられている点が電子時計１と相違する。なお、電子時計１Ｅの基本時計部１０や時刻表示部２０は、電子時計１と同一であるため、図１２において簡略化している。
【００８３】
時刻修正システム１００の外部入力装置６０は、モーション入力を行う専用の装置であり、ジャイロセンサー６１と、デコーダー６２と、パターン認識部６３と、パターン信号変換部６４と、パターン信号変換記憶部６５と、通信部（送信部）である通信モジュール７０とを備える。ジャイロセンサー６１、デコーダー６２、パターン認識部６３、パターン信号変換部６４、パターン信号変換記憶部６５は、電子時計１のジャイロセンサー３１、デコーダー３２、パターン認識部３３、パターン信号変換部４２、パターン信号変換記憶部４１と同じ機能であるため、説明を省略する。
【００８４】
外部入力装置６０は、モーション入力を行いやすく、検出しやすいように構成されている。例えば、外部入力装置６０は、図１３に示すように、先端側にジャイロセンサー６１を備えた棒状に形成され、指揮棒のように先端部分で文字や数字のモーションを描くことでモーション入力を行いやすく、かつ、先端の軌跡を精度よく検出できるように構成されている。なお、外部入力装置６０は、棒状に形成されるものに限定されず、他の形状でもよい。すなわち、外部入力装置６０は、立方体、球体、リング等の各種形状のものが利用でき、ユーザーの腕に装着できたり、ユーザーが手で持つことができるものであればよい。
外部入力装置６０と、電子時計１Ｅとは、通信モジュール５０、７０によって通信されている。通信モジュール７０は、パターン信号変換部６４から出力される信号を送信可能に構成されていればよく、通信モジュール５０は、通信モジュール７０から送信される信号を受信可能に構成されていればよい。通信モジュール５０、７０は、例えば、Bluetooth（登録商標）などの近距離無線用のモジュールが利用できる。
【００８５】
電子時計１Ｅは、モーション入力を外部入力装置６０で行う点が、前記各実施形態と相違する。すなわち、外部入力装置６０は、パターン信号変換部６４やパターン信号変換記憶部６５を内蔵しているので、例えば、外部入力装置６０で第一の動作として「Ｓ」の軌跡を描いた場合は、パターン信号変換部６４は、パターン信号変換記憶部６５を参照し、修正対象として秒針５を選択することを指示する処理信号を、通信モジュール７０、５０を介して時刻修正部４０Ｅに出力できる。同様に、外部入力装置６０は、第二の動作として上下などに往復移動した場合は、選択した指針を最小時間単位毎に運針するための処理信号を出力し、数字のモーション入力が行われた場合には、入力された数字を示す処理信号を出力する。
外部入力装置６０で第一の動作、第二の動作を行うことによる時刻修正処理は、前記各実施形態と同じであるため、説明を省略する。
【００８６】
［第５実施形態の作用効果］
第５実施形態によれば、電子時計１Ｅとは別体の外部入力装置６０にジャイロセンサー６１を設けたので、電子時計１Ｅに慣性センサーを組み込む必要が無く、電子時計１Ｅの小型化、薄型化を実現でき、電子時計１Ｅの消費電力も低減できるため、持続時間を延ばすことができる。
また、外部入力装置６０は、モーション入力のための専用の装置であるため、モーション入力の操作性を向上でき、検出精度も向上できる。
【００８７】
なお、時刻修正システム１００において、電子時計１Ｅと外部入力装置６０とは、通信モジュール５０、７０によって無線通信で情報を送受信していたが、有線通信で情報を送受信してもよい。
【００８８】
［他の実施形態］
なお、本発明は前記各実施形態に限定されず、本発明の要旨の範囲内で種々の変形実施が可能である。
例えば、電子時計１、１Ｂ、１Ｃ、１Ｄ、１Ｅや外部入力装置６０には、第一の動作や第二の動作の認識結果（検出結果）をユーザーに報知する報知部を設けてもよい。
報知部としては、音声やビープ音を発生してユーザーの聴覚に対して報知する装置、バイブレーション等を発生してユーザーの触覚に対して報知する装置、ＬＥＤ等を用いて光の点灯、点滅等を発生してユーザーの視覚に対して報知する装置、においを発生してユーザーの臭覚（嗅覚）に対して報知する装置など、ユーザーに情報として報知できるものであればよい。これらの報知部を設けることで、電子時計による動作が第一の動作や第二の動作として正常に認識されたか、あるいはエラーと判断されたかを通知でき、ユーザーに対して正しい入力を再度実行させることができる。また、音声を発生できる装置を設けた場合には、第一の動作によって選択された指針の種類や、第二の動作によって入力された修正量（数）を音声で通知することにより、ユーザーは認定結果を確認できる。
特に、第一の動作や第二の動作自体が、電子時計１を装着した腕を動かすことで実現できるため、音声による報知部を備えていれば、視覚障害者が自ら表示時刻の修正作業を行うことができ、利便性を向上できる。また、時刻修正モードが実行されていない状態で、所定の動作を行うと、現時刻を音声やバイブレーションで報知する機能を備えていれば、視覚障害者が容易に時刻を確認できる。なお、現時刻の報知は、音声やバイブレーションに限定されず、例えば光の点滅などでもよく、ユーザーが現時刻を認識できる報知方法であれば広く採用できる。
【００８９】
前記第１、２、４、５実施形態において、第二の動作として、指針を正転方向に進める動作と、逆転方向に進める動作を入力可能に構成してもよい。例えば、モーションセンサー部３０を用いた場合に、電子時計１を上昇させた後に下降させた場合は、指針を正転方向に移動し、下降させた後に上昇させた場合は、指針を逆転方向に移動するように設定してもよい。また、加速度センサー部３０Ｂを用いた場合には、弱くタップした場合は指針を正転方向に進め、強くタップした場合は指針を逆転方向に進めるように設定してもよい。さらに、加速度センサー部３０Ｂによって、電子時計１のカバーガラスの右半分や外装ケース２の右側面を叩く動作と、カバーガラスの左半分や外装ケース２の左側面を叩く動作を判別可能とし、右側を叩いた場合には指針を正転方向に進め、左側を叩いた場合には指針を逆転方向に進めるように設定してもよい。
これらのように、第二の動作によって、指針を正転および逆転に移動できれば、例えば、ユーザーの修正動作で指針が修正目標よりも行き過ぎた場合にも容易に戻すことができ、修正時の作業性を向上できる。
【００９０】
第二の動作で数字のモーション入力を行う場合に、第３実施形態のように修正後の目標時間を入力するのではなく、他の実施形態のように修正量を数字で入力してもよい。例えば、秒針５の指示を３０秒から５０秒に修正する場合、第３実施形態では「５０」の数字を入力していたが、差分量の２０秒を数字のモーションで数値入力し、入力された数字の分だけ指針を移動させるように構成してもよい。なお、指針を逆転する場合は、数字の前にマイナス記号「−」をモーションで入力してから、数字を入力することで指示してもよい。
【００９１】
モーションセンサー部３０Ｄおよび加速度センサー部３０Ｂを併用した第４実施形態の電子時計１Ｄでは、第一の動作をモーションセンサー部３０Ｄで検出し、第二の動作を加速度センサー部３０Ｂで検出していたが、第一の動作を加速度センサー部３０Ｂで検出し、第二の動作をモーションセンサー部３０Ｄで検出してもよい。例えば、電子時計１Ｄをタップする動作や、傾けたり、振動を加える動作を加速度センサー部３０Ｂで検出して修正対象の指針を選択し、モーションセンサー部３０Ｄで数字のモーション入力を検出して修正量を指示するようにすればよい。
【００９２】
モーションセンサー部３０における第一の動作や第二の動作を、ユーザーが設定できるように構成してもよい。例えば、時針７、分針６、秒針５の各修正モードを実行するパターンを登録するモードを設け、その際のユーザーによる電子時計１の移動軌跡を記録し、各動作を行う場合に、設定モードで記録したパターンを元に判断してもよい。
この場合、各ユーザーが自分でパターンを登録できるので、パターン認識精度を向上でき、各動作を正しく認定できる。
さらに、パターン認識部３３は、ユーザーのモーションを学習して認識精度を向上するようにしてもよい。
【００９３】
第二の動作で指針の修正量を入力する場合に、修正量の上限を設定してもよい。例えば、指針の移動量の上限として、時針７の場合は２４時間、分針６の場合は６０分、秒針５の場合は６０秒としてもよい。この場合、例えば、時針７の修正量をタップ回数で入力する場合に、２５回以上のタップを行っても、２４回のタップ回数までしか認定せず、それ以上のタップは無効にすればよい。
【００９４】
また、指針の表示時刻を修正する場合、前記実施形態では、第二の動作を認定するとリアルタイムに指針を修正していたが、例えば、時針７、分針６、秒針５のすべての修正量の入力が終了した後で、時針７、分針６、秒針５を移動させるように設定してもよい。この場合、電子時計１の内部の記憶部に、時針７、分針６、秒針５の各修正量を記憶し、現在の表示時刻に前記各修正量を加算した修正時刻を音声で報知し、その報知内容を確認したユーザーが所定の動作を行って認証した場合に、実際の指針５〜７の移動を開始することもできる。
【００９５】
前記各実施形態では、秒針５、分針６、時針７を独立して駆動できるように３つのステッピングモーター２２〜２４を設けていたが、複数の指針を１つのステッピングモーターで駆動してもよい。例えば、秒針５を駆動するステッピングモーターと、分針６および時針７を駆動するステッピングモーターとの２つのステッピングモーターを設けてもよいし、秒針５、分針６、時針７を１つのステッピングモーターで駆動してもよい。複数の指針を１つのステッピングモーターで駆動する場合は、表示制御部１４はモータードライバー２１を制御して、修正対象として選択された指針を修正するために必要なステップ数の駆動信号を対象のステッピングモーターに出力すればよい。
また、電子時計１、１Ｂ、１Ｃ、１Ｄ、１Ｅにおいて、秒針５、分針６、時針７を駆動するステッピングモーター２２〜２４の１ステップでの秒針５、分針６、時針７の運針角度や、秒針５、分針６、時針７を最小時間単位分だけ動かすためのステップ数は、指針による指示の見やすさや、表現のやりやすさ等に応じて変更可能である。
【００９６】
修正対象の指針を選択する場合のモーションは、「Ｈ」「Ｍ」「Ｓ」「Ｄ」に限定されず、別の文字、数字、記号などの表記でもよい。例えば、数字の「１」〜「４」でもよいし、アルファベットの「Ａ」〜「Ｄ」、カタカナの「ア」〜「エ」などでもよく、さらにユーザーが設定した表記でもよい。
前記各実施形態では、加速度センサー３１Ｂによってタップ操作を検出していたが、加速度センサー３１Ｂは電子時計１、１Ｂ、１Ｃ、１Ｄ、１Ｅの傾きや振動等の検出も可能であるため、傾きや振動など加速度センサー３１Ｂで検出可能な動作を検出するように構成してもよい。
【００９７】
また、電子時計１Ｂ、１Ｃ、１Ｄでは、第一の動作を検出する条件として、タップ入力、上下動、回転動作がそれぞれ２回以上としていたが、例えば３回以上などとしてもよく、前記回数は２回に限定されず変更可能である。
また、電子時計１Ｂ、１Ｃ、１Ｄでは、タップ入力、上下動、回転動作の検出回数が増えるにしたがって、修正対象を時針７、分針６、秒針５の順で繰り返し選択可能にしていたが、秒針５を選択する回数（例えば４回）以上の入力があっても秒針５の選択を維持するように設定してもよい。この場合、時針７や分針６を選択し直すには、一旦、基本時計モードに戻ってから、再度、第一の動作を実行すればよい。
【００９８】
前記各実施形態では、時針７、分針６、秒針５や日車８を備えるアナログ電子時計であったが、秒針５や日車８を無くして時針７、分針６を備える二針の時計でもよい。また、液晶パネル、有機ＥＬパネル、電子ペーパー等のデジタル表示部を有するデジタル時計に本発明を適用してもよい。この場合、第一の動作で、修正対象を時、分、秒などの時間単位毎に選択し、第二の動作で、各時間単位を最小時間単位毎に修正することができる。
また、上述した各実施形態は一例であって、これらに限定されるわけではない。例えば、各実施形態を適宜組み合わせることも可能である。
【符号の説明】
【００９９】
１、１Ｂ、１Ｃ、１Ｄ、１Ｅ…電子時計、２…外装ケース、３…文字板、５…秒針、６…分針、７…時針、８…日車、１０…基本時計部、１１…水晶振動子、１２…発振回路、１３…分周部、１４…表示制御部、１５…秒カウンター、１６…分カウンター、１７…時カウンター、２０…時刻表示部、２１…モータードライバー、２２、２３、２４…ステッピングモーター、２５、２６、２７…輪列、３０、３０Ｃ、３０Ｄ…モーションセンサー部、３０Ｂ…加速度センサー部、３１…ジャイロセンサー、３１Ｂ…加速度センサー、３２、３２Ｂ…デコーダー、３３、３３Ｃ、３３Ｄ…パターン認識部、３３Ｂ…タップ認識部、４０、４０Ｂ、４０Ｃ、４０Ｄ、４０Ｅ…時刻修正部、４１…パターン信号変換記憶部、４１Ｂ…タップ信号変換記憶部、４１Ｃ…パターン信号変換記憶部、４１Ｄ…信号変換記憶部、４２…パターン信号変換部、４２Ｂ…タップ信号変換部、４２Ｃ…パターン信号変換部、４２Ｄ…信号変換部、４３、４３Ｂ、４３Ｃ、４３Ｄ、４４Ｃ…修正時刻デコーダー、５０…通信モジュール、６０…外部入力装置、６１…ジャイロセンサー、６２…デコーダー、６３…パターン認識部、６４…パターン信号変換部、６５…パターン信号変換記憶部、７０…通信モジュール、１００…時刻修正システム。
【図１】
2019032194.tif 000003
【図２】
2019032194.tif 000004
【図３】
2019032194.tif 000005
【図４】
2019032194.tif 000006
【図５】
2019032194.tif 000007
【図６】
2019032194.tif 000008
【図７】
2019032194.tif 000009
【図８】
2019032194.tif 000010
【図９】
2019032194.tif 000011
【図１０】
2019032194.tif 000012
【図１１】
2019032194.tif 000013
【図１２】
2019032194.tif 000014
【図１３】
2019032194.tif 000015